(57)【要約】      （修正有）【課題】バッテリーの液口から装置の一部を差し込む操作をするだけで、バッテリー液の液面の位置を直ちに且つ正確に検出することができる自動車用バッテリーの液面検出装置を提供する。【解決手段】バッテリーの上面に設けられた液口からバッテリー内部に装置本体２を差し込んだときにバッテリー液の有無を検知した液体検知センサー７から検出信号が出力され、この検出信号を信号処理部が受信して信号処理し、発光報知部４のＬＥＤを発光せしめることによりバッテリー液面の検出を発光報知するように構成する。装置本体２の外周には、液口からバッテリー内部への装置本体２の差し込み深さを調整して液体検知センサー７のバッテリー内部の検出位置を特定するためのリング体６を装着する。【選択図】図１
0003203303.tif 000002
【実用新案登録請求の範囲】
【請求項１】
自動車用バッテリーの上面に設けられた液口からバッテリー内部に差し込んでバッテリー液の液面レベルを検出するバッテリーの液面検出装置において、
前記液口内に挿入可能な太さに形成された装置本体の先端部に設けられた液体検知センサーと、装置本体内に収納された信号処理部と、装置本体の胴部に設けられた発光報知部とを備え、
装置本体の先端部を前記液口からバッテリー内部に挿入したときにバッテリー液の有無を検知した液体検知センサーから検出信号が出力され、この検出信号を信号処理部が受信して信号処理し、信号処理部からＬＥＤ駆動信号を出力して発光報知部のＬＥＤを発光せしめることによりバッテリー液面の検出を発光報知するように構成されているとともに、
装置本体の外周に、前記液口からバッテリー内部への装置本体の差し込み深さを調整して当該装置本体の先端部に設けられた液体検知センサーのバッテリー内部の検出位置を特定する位置決め機構が設けられた構成を有することを特徴とする自動車用バッテリーの液面検出装置。
【請求項２】
位置決め機構は、装置本体の外周面にスライド自在に装着されていて装置本体の先端部を液口に差し込んだときに液口の上側周辺部に係合する大きさのリング体であることを特徴とする請求項１に記載の自動車用バッテリーの液面検出装置。
【請求項３】
位置決め機構を構成するリング体が弾性材により形成されていることを特徴とする請求項２に記載の自動車用バッテリーの液面検出装置。
【請求項４】
装置本体の外周に、バッテリー液のＬｏｗｅｒレベルの液面を検知するときのリング体の設定位置と、Ｕｐｐｅｒレベルの液面を検知するときリング体の設定位置が表示されていることを特徴とする請求項１〜３の何れかに記載の自動車用バッテリーの液面検出装置。
【請求項５】
発光報知部は、装置本体の液体検知センサーが設けられた側とは反対側の胴部に周側面を透光材で囲った透光部を設け、この透光部の内側にＬＥＤと半球状の反射材を上下に対抗配置し、ＬＥＤの照明光を反射材で反射させ、透光部から装置本体の外側へと透過発光させるよう構成されていることを特徴とする請求項１〜４の何れかに記載の自動車用バッテリーの液面装置。
【請求項６】
液体検知センサーは、液体に接触することによりその電気抵抗が０Ωになるように構成されていることを特徴とする請求項１〜５の何れかに記載の自動車用バッテリーの液面検出装置。
【考案の詳細な説明】
【技術分野】
【０００１】
本考案は、自動車に搭載されるバッテリーの、バッテリー液の充填量が適正か否かを測定するためのバッテリー液面検出装置に関する。
【背景技術】
【０００２】
従来の自動車用バッテリーの液面検出具として、例えば外周面に液面確認用の目盛りが記された管体をバッテリー上部の液口からバッテリー内部に差込み、管体下部をバッテリー液内に浸した状態で管体の上端を指で塞ぐなどして管体内にバッテリー液を滞留させ、そのままバッテリー液口から引き上げて、管体内に滞留したバッテリー液の液面と前記目盛りとの対比によりバッテリー内部の液面の高さを特定し検出する構成のものが知られている（例えば特許文献１参照）。
【先行技術文献】
【特許文献】
【０００３】
【特許文献１】特開平９−２８０９２１号公報
【考案の概要】
【考案が解決しようとする課題】
【０００４】
従来のバッテリー液面検出具はシンプルな形態であり手軽に使用することができるという利点はあるものの、バッテリー液の液面の検出は、管体をバッテリー内部に差し込み、次いで管体の上端を塞いでバッテリー液を滞留させ、そのまま管体をバッテリーから引き上げた後、目視で管体内に滞留したバッテリー液の液面を確認する、という四段階の操作を経なければならず、操作が面倒で液面の検出に手間を要するという問題があった。
【０００５】
また、バッテリーの液口に差し込まれる管体自体が細く、その外周面に記された目盛りの表示も小さいため、管体内に滞留したバッテリー液を目視で確認する作業がしづらく、また、作業現場の照明が暗いとバッテリー液面の位置を見間違えやすく目視による確認に時間がかかるという問題があった。
【０００６】
本考案は従来技術の有するこのような問題点に鑑み、自動車用バッテリーの液面検出装置を、バッテリーの液口から装置の一部を差し込む操作をするだけで、バッテリー液の液面の位置を直ちに且つ正確に検出することができるように構成することを課題とする。
【課題を解決するための手段】
【０００７】
前記課題を解決するため本考案は、自動車用バッテリーの上面に設けられた液口からバッテリー内部に差し込んでバッテリー液の液面レベルを検出するバッテリーの液面検出装置において、
前記液口内に挿入可能な太さに形成された装置本体の先端部に設けられた液体検知センサーと、装置本体内に収納された信号処理部と、装置本体の胴部に設けられた発光報知部とを備え、
装置本体の先端部を前記液口からバッテリー内部に挿入したときにバッテリー液の有無を検知した液体検知センサーから検出信号が出力され、この検出信号を信号処理部が受信して信号処理し、信号処理部からＬＥＤ駆動信号を出力して発光報知部のＬＥＤを発光せしめることによりバッテリー液面の検出を発光報知するように構成されているとともに、
装置本体の外周に、前記液口からバッテリー内部への装置本体の差し込み深さを調整して当該装置本体の先端部に設けられた液体検知センサーのバッテリー内部の検出位置を特定する位置決め機構が設けられた構成を有することを特徴とする。
【０００８】
本考案の液面検出装置によれば、位置決め機構を操作してバッテリー内部への装置本体の差し込み深さを設定した後、液口から液体検知センサーが設けられた側を差し込めば、発光報知部のＬＥＤが発光したときはバッテリー液の液面が所定の位置にあり、バッテリーへのバッテリー液の充填量が適正であると判断することができ、発光報知部のＬＥＤが発光しなかったときは、バッテリー液の充填量が不足していることを直ちに判断することができる。発光報知部のＬＥＤの発光の有無によってバッテリー液の液面が適正な高さか否かを検出することができるので、従来の如き目視による目盛りの確認作業などは不要であり、速やか且つ正確にバッテリー液の充填量が適正か否かを判断することが可能である。
【０００９】
前記構成の液面検出装置において、位置決め機構を、装置本体の外周面にスライド自在に装着されていて装置本体の先端部を液口に差し込んだときに液口の上側周辺部に係合する大きさのリング体により構成することができる。
この場合、リング体はゴムや合成樹脂材からなる弾性材により形成し、これを装置本体の外周面に嵌着して、装置本体の外周面に沿って装着位置をスライド変位し得るように構成することが好ましい。
また、装置本体の外周に、バッテリー液のＬｏｗｅｒレベルの液面を検知するときのリング体の設定位置と、Ｕｐｐｅｒレベルの液面を検知するときリング体の設定位置が表示されていることが好ましい。
【００１０】
また、前記構成の液面検出装置において、発光報知部は、装置本体の液体検知センサーが設けられた側とは反対側の胴部に周側面を透光材で囲った透光部を設け、この透光部の内側にＬＥＤと半球状の反射材を上下に対抗配置し、ＬＥＤの照明光を反射材で反射させ、透光部から装置本体の外側へと透過発光させるように構成することができる。
さらに、液体検知センサーは、液体に接触することによりその電気抵抗が０Ωになるように構成することができる。
【考案の効果】
【００１１】
本考案の自動車用バッテリーの液面検出装置によれば、位置決め機構を操作してバッテリー内部への装置本体の差し込み深さを設定した後、バッテリー上部の液口から液体検知センサーが設けられた側を差し込む操作をするだけで、バッテリー液の液面の位置を検出し、速やか且つ正確にバッテリー液の充填量が適正か否かを判断することができる。
発光報知部のＬＥＤの発光の有無によってバッテリー液の液面が適正な高さか否かを検出することができるので、従来の如き目視による目盛りの確認作業などは不要であり、作業現場の照明が暗くてもバッテリー液の液面の確認作業を正確且つ効率的に行なうことが可能である。
【図面の簡単な説明】
【００１２】
【図１】本考案の一実施形態の液面検出装置の外観図である。
【図２】図１の液面検出装置における装置本体の上部のみ内部を透過して示した正面図である。
【図３】図１の液面検出装置の回路構成を示した図である。
【図４】図１の液面検出装置を用いてバッテリー液のＬｏｗｅｒの液面とＵｐｐｅｒの液面を検出するときのリング体のそれぞれ設定位置を示した図である。
【図５】図１の液面検出装置をバッテリーの液口に差し込んだときの使用状態図である。
【考案を実施するための形態】
【００１３】
本考案の好適な実施の形態を、図面を参照して説明する。
図１は本考案の一実施形態の液面検出装置の外観を示しており、本形態の液面検出装置１は、バッテリーの液口からバッテリー内部に差し込み可能な細さの棒体３の上端に発光報知部４を一体に設け、内部に信号処理回路からなる信号処理部５を収納して装置本体２を形成するとともに、棒体３の外周に前記液口からバッテリー内部への棒体３の差し込み深さを調整するための位置決め機構であるリング体６を装着して構成してある。
【００１４】
詳しくは、図２に示されるように、装置本体２の棒体３は、前記液口の内径よりも小径の有底円管状を呈し、その下部先端である底部３１に液体検知センサー７を一体に取付けて形成してある。液体検知センサー７は、そのセンサー端子７１，７１が液体に接触することにより、その電気抵抗が０Ωとなり、これを後述する信号処理部５において液体検出信号として捉えて液体検知の信号処理がなされるようになっている。
【００１５】
発光報知部４は、棒体３よりも大径の円筒形に形成されており、その胴部４１の周側面に透光材で囲った透光部４１ａを設け、この透光部４１ａの内部にＬＥＤ８と半球状の反射材９を配置し、透光部４１ａより上方の胴部４１の内部に電池１０を設置してある。ＬＥＤ８と反射材９は上下に対抗配置され、ＬＥＤ８の照明光を反射材９で反射させ、透光部４１ａから装置本体の外側へと透過発光させるように設けてある。
また、発光報知部４の上端は蓋４２で閉鎖してあり、蓋４２を取り外して電池１０の交換や内部機構のメンテナンスができるようになっている。
【００１６】
図３は液面検出装置１の回路構成を示している。
すなわち、液体検知センサー７がバッテリー液を検知し、その電気抵抗が０Ωになることで検出信号が出力され、この検出信号が信号処理部５のセンサー信号処理回路５１へと入力される。センサー信号処理回路５１では、前記液体検知センサー７の電気抵抗が０Ωになると、同じく信号処理部５のＬＥＤドライブ回路５２にＬＥＤ８を発光させるべく駆動指令信号を出力する。そして、ＬＥＤドライブ回路５２からＬＥＤ８へと駆動信号が出力されて、ＬＥＤ８が発光することでバッテリー液面が検出されたことを装置の周囲に発光報知するようになっている。液体検知センサー７が導通することでＬＥＤ８を発光駆動するように設けてあるが、電源投入スイッチを設けて駆動回路を構成してもよい。
【００１７】
また、リング体６は、ゴムや合成樹脂材などの弾性材により、その外径が前記液口の内径よりも大きな寸法、内径が棒体３の外周に圧密に嵌着する寸法に設定されて穴あき円板状に形成されており、棒体３の外周面に、当該周面長手方向に沿ってスライドさせて取り付け位置を変位させ得るように装着してある。
すなわち、図４に示されるように、バッテリー内に充填されたバッテリー液がＬｏｗｅｒレベルに満たされているか否かを確認する際はリング体６を棒体３の若干上側のＬｏｗｅｒ測定位置に、Ｕｐｐｅｒレベルに満たされているか否かを確認する際はリング体６を棒体３の若干下側のＵｐｐｅｒ測定位置にそれぞれ位置決めし、それぞれの状態でバッテリーの液口に棒体３を挿入することで、ＬｏｗｅｒレベルとＵｐｐｅｒレベルのバッテリー液の適正な液面を検知することができるようになっている。この際、液口の上側周辺部にリング体６の下面が係合するため、作業者が液面検出装置１から手を離しても、液口上に装置が自立するようになっている。
図４に示されるように、棒体３の外周に、バッテリー液のＬｏｗｅｒレベルの液面を検知するときのリング体６の設定位置と、Ｕｐｐｅｒレベルの液面を検知するときリング体の設定位置の表示１１がされていてもよい。
【００１８】
このように構成された本形態の液面検出装置１によれば、図５に示されるように、予めリング体６を操作してバッテリー１２内部への棒体３の差し込み深さを設定した後、液口１２ａから棒体３を差し込めば、リング体６の下面が液口１２ａの上側周辺部に係合して装置本体２が液口１２ａ上に自立し、その状態で発光報知部４のＬＥＤ８が発光したときはバッテリー液の液面が所定の位置にあり、バッテリーへのバッテリー液の充填量が適正であると判断することができ、また、発光報知部４のＬＥＤ８が発光しなかったときは、バッテリー液の充填量が不足していることを直ちに判断することができる。
ＬＥＤ８の発光の有無によってバッテリー液の液面が適正な高さか否かを検出することができるので、従来の如き目視による目盛りの確認作業などは不要であり、速やか且つ正確にバッテリー液の充填量が適正か否かを判断することが可能である。
【００１９】
なお、図示した液面検出装置１の形態は一例であり、本考案はこれに限定されるものではなく、他の適宜な形態で構成することが可能である。例えば本形態ではＬＥＤ８を装置内部に設置して内照式としてあるが、装置本体２の表面にＬＥＤ８を設置してもよい。また、棒体３の外周に前記液口からバッテリー内部への棒体３の差し込み深さを調整するための位置決め機構としてリング体６を採用したが、これ以外の位置決め機構を装備してもよい。
【符号の説明】
【００２０】
１  液面検出装置、２  装置本体、３  棒体、４  発光報知部、５  信号処理部、６  リング体、７  液体検知センサー、８  ＬＥＤ、９  反射材、１０  電池、１１  表示、１２  バッテリー、１２ａ  液口
【図１】
0003203303.tif 000003
【図２】
0003203303.tif 000004
【図３】
0003203303.tif 000005
【図４】
0003203303.tif 000006
【図５】
0003203303.tif 000007